(57)【特許請求の範囲】
【請求項１】
カメラを収納するカメラの防水パックにおいて、
前記防水パック内に収納されるカメラの撮影レンズに対向する位置であって、
該防水パックの内側にアクセサリー用の光学部材が着脱自在な取付部を設けたことを特徴とするカメラの防水パック。
【請求項２】
前記アクセサリー用の光学部材は、ワイドコンバージョンレンズ、テレコンバージョンレンズ、又はフィルタである請求項１に記載のカメラの防水パック。
【請求項３】
前記取付部は、前記アクセサリー用の光学部材と螺合するねじを備える請求項１又は２に記載のカメラの防水パック。
【発明の詳細な説明】
【０００１】
【発明の属する技術分野】
本発明はカメラの防水パックに係り、特にデジタルカメラ、銀塩カメラ等を収納することにより全体として防水カメラとして機能することができるカメラの防水パックに関する。
【０００２】
【従来の技術】
近年、高機能、高画質のデジタルカメラが普及してきており、小型化されたデジタルカメラ等に対し、悪環境下（アウトドア、工事現場、水中等）での使用も見込まれ、ヘビーデューティ性のニーズがある。このように悪環境下では、防水（又は防滴）、防塵等の他にワイド撮影が求められることが多い。
【０００３】
従来、水中撮影に使用できるように蓋体を含むハウジングを透明プラスチックにより成形し、このハウジングにビデオカメラを収納し、水の侵入のない密封状態となるように適宜パッキングを介して組み立られた防水カメラがある。そして、この防水カメラは、ワイド撮影が可能なようにハウジングの前面にワイドコンバージョンレンズと同様に機能する空気レンズが設けられている（実開平５−１８１７３号公報）。
【０００４】
また、防水構造のカメラ本体の鏡筒先端にワイドコンバージョンレンズを装着するようにした防水カメラがある（特開平７−９２５３７号公報）。
【０００５】
【発明が解決しようとする課題】
しかしながら、従来のこの種の防水カメラに取り付けられるワイドコンバージョンレンズは、ハウジングの前面又は防水カメラの鏡筒先端に取り付けられる外付けタイプであるため、傷や衝撃等に弱くヘビーデューティ性に欠けていた。
また、外付けのレンズのため、撮影範囲の妨げにならないようにレンズが大きくなりがちで携帯性も劣っており、更にレンズの装着が外れた場合に、レンズが落ちて破損したり紛失するおそれもあった。
【０００６】
本発明はこのような事情に鑑みてなされたもので、ワイドコンバージョンレンズ等のアクセサリー用の光学部材が破損したり傷つくことがなくヘビーデューティ性を保ち、かつアクセサリー用の光学部材をコンパクトにすることができるカメラの防水パックを提供することを目的とする。
【０００７】
【課題を解決するための手段】
上記目的を達成するために、本願請求項１に係る発明は、カメラを収納するカメラの防水パックにおいて、前記防水パック内に収納されるカメラの撮影レンズに対向する位置であって、該防水パックの内側にアクセサリー用の光学部材が着脱自在な取付部を設けたことを特徴としている。また、前記アクセサリー用の光学部材は、ワイドコンバージョンレンズ、テレコンバージョンレンズ、又はフィルタである。更に、前記取付部は、前記アクセサリー用の光学部材と螺合するねじを備える。
【０００８】
本願請求項１に係る発明によれば、アクセサリー用の光学部材は、防水パックの内側に着脱自在に取り付けられるため、防水パックによって保護される。即ち、本発明に係る防水パックは、アクセサリー用の光学部材が破損したり傷つくことがなく、水等が侵入することもなく、ヘビーデューティー性を保持することができる。また、アクセサリー用の光学部材を、カメラの撮影レンズに近づけることができ、撮影レンズに近い分だけコンパクトにすることができる。
【０００９】
【発明の実施の形態】
以下添付図面に従って本発明に係るカメラの防水パックの好ましい実施の形態について詳説する。
図１及び図２はそれぞれ本発明に係るカメラの防水パックを前方及び後方から見た斜視図であり、図３は図２に示した防水パックのカバーを開けた状態を示す斜視図である。
【００１０】
これらの図面に示すように、この防水パック１０は、主として防水パック本体１２と、ヒンジ１４により防水パック本体１２に対して回動自在に配設されたカバー１６とから構成されており、図４に示すデジタルカメラ１８を収納することにより全体として防水型デジタルカメラとして機能できるようになっている。
図１に示すように、防水パック本体１２の前面には、デジタルカメラ１８の撮影レンズに対向する位置に保護ガラス２０が水密性をもって固定されている。即ち、図５に示すように保護ガラス２０と、防水パック本体１２の外装ケース２２との間にはＯリング２４が配置されており、保護ガラス２０は、外装ケース２２に固定された押え部材２６によってＯリング２４に押し付けられている。
【００１１】
また、防水パック本体１２の前面には、防水パック本体１２に内蔵されたストロボ装置２８の発光窓３０、及び発光量調整用の調光センサの受光窓３２が設けられている。
防水パック本体１２の上面には、シャッタボタン３４と、デジタルカメラ１８の各種の状態を表示する液晶表示パネルを透視するための透明窓部３６と、防水構造の光学ファインダ（図示せず）を取り付けるための取付けシュー３８とが設けられている。また、防水パック本体１２の図１上の右側面には、カバー開つまみ４０が設けられている。
【００１２】
図３に示すように、防水パック本体１２の内側には、デジタルカメラ１８を収納するカメラ収納部４２と、防水パック１０の電源として使用されるバッテリー４４（複数本の電池を収納する電池ケース又は専用の二次電池）を収納するバッテリー収納部４６とが形成されている。
また、防水パック本体１２の内側には、デジタルカメラ１８を取り付けるためのカメラ取付部材４８が防水パック本体１２に対して回動自在に配設されている。このカメラ取付部材４８は、デジタルカメラ１８の三脚ネジ穴と螺合するカメラ取付ネジ５０と、デジタルカメラ１８の回り止め及び位置決め用のピン５２とが設けられており、これらのカメラ取付ネジ５０及びピン５２によって図４に示すようにデジタルカメラ１８を固定できるようになっている。また、カメラ取付部材４８の先端には、防水パック本体１２に配設されたコイルバネ５４の上端に当接する係合部４８Ａが形成されている（図４及び図６参照）。
【００１３】
上記構成によってカメラ取付部材４８は、カバー１６が開放されると、カメラ取付部材４８の先端がコイルバネ５４によって図４及び図６に示す位置まで押し上げられる。即ち、カメラ取付部材４８は、カバー１６が開放されると、コイルバネ５４の付勢力によって図６に示す回動軸４９を中心にして自動的に回動し、デジタルカメラ１８を所定の位置まで押し上げる。
【００１４】
更に、防水パック本体１２の内側には、図５に示すようにワイドコンバージョンレンズ５６を取り付けるための取付部５８が設けられている。即ち、取付部５８は、防水パック本体１２の外装ケース２２の内側に固定されており、この取付部５８には、ワイドコンバージョンレンズ５６の外周に形成された雄ネジ５６Ａと螺合する雌ネジ５８Ａが形成されている。これにより、ワイドコンバージョンレンズ５６を取付部５８に取り付けることにより、通常の撮影よりもワイド撮影が可能になる。
【００１５】
一方、図２に示すようにカバー１６の背面には、デジタルカメラ１８の背面に設けられた撮影画像、再生画像等を表示する液晶モニタ６０（図４参照）を透視するための透明窓部６２、電源スイッチ６４、モードダイヤル６６、露出補正ボタン６８、ストロボボタン７０、及び表示ボタン７２が設けられている。
また、図３に示すようにカバー１６の内側には、防水用のパッキング７４、閉成時にカバー１６をロックするためのフック７５等が設けられている。このカバー１６は、前述したようにヒンジ１４により防水パック本体１２に対して開閉自在に配設されており、閉成時にカバー１６のフック７５が防水パック本体１２側の係合部（図示せず）と係合し、この状態でパッキング７４により防水パック本体１２内の水密性を保持できるようになっている。尚、カバー１６がロックされている場合に、図３に示すようにカバー開つまみ４０を起こし、反時計回り方向に回すと、カバー１６のロックを解除することができる。
【００１６】
図７は防水パック１０のヒンジ１４を含む要部断面図である。同図に示すように、ヒンジ１４の軸１４Ａの外周にはフリクション部材７６が配設されており、このフリクション部材７６による摩擦力により、カバー１６の自重にかかわらずカバー１６を任意の角度で静止させることができるようになっている。尚、フリクション部材７６としては、カバー１６に設けられたパッキング７４と同様な材質のものを使用することができ、これによればヒンジ１４の軸１４Ａの周囲を防水構造にすることができる。また、図７上の７７は、カバー１６に設けられたパッキング７４が当接する防水パック本体１２に形成された凸部を示す。
【００１７】
また、カバー１６の背面に設けられたモードダイヤル６６及び各種のボタンは、図３に示すフレキシブル配線パターン７８を介して図示しないコントロール回路と接続されており、また、防水パック本体１２の上面に設けられたシャッタボタン３４もコントロール回路に接続されている。このコントロール回路は、これらのボタン類の操作に応じたコントロール信号を、リモートコントロールケーブル８０を介してデジタルカメラ１８に出力する。即ち、リモートコントロールケーブル８０はプラグ８０Ａを有しており、このプラグ８０Ａは、図４に示すようにデジタルカメラ１８のデジタル入出力端子に差し込まれる。
【００１８】
尚、図４において、８２はビデオ出力端子、８４はＤＣ入力端子、８６はスマートメディア（メモリカード）の挿入口を開閉するスマートメディアカバー、８８はデジタルカメラ１８側のモードダイヤルである。
次に、上記ボタン類の操作に応じたデジタルカメラ１８の制御について説明する。
【００１９】
まず、図２に示す電源スイッチ６４を図２上で上方にスライドさせると、デジタルカメラ１８の電源が入り、再度電源スイッチ６４を上方にスライドさせると、デジタルカメラ１８の電源が切れる。モードダイヤル６６は、撮影した画像を再生する再生モード、撮影状況に応じて露出とフォーカスを自動的に制御する通常（ＡＵＴＯ）撮影モード、フォーカスを遠景（約５ｍ）に固定する遠景固定撮影モード、フォーカスを近景（約１．２ｍ）に固定する近景固定撮影モード、及び１０〜７０ｃｍまでの近距離撮影ができるマクロ撮影モードのうちのいずれかをダイヤル位置によって選択するものである。
【００２０】
また、露出補正ボタン６８を押しながらシャッタボタン３６を半押しすると、＋１．６Ｅｖの露出補正が行われる。更に、この防水パック本体１２に内蔵されたストロボ装置２８は、通常は低輝度又は逆光時に自動発光するオートモードになっているが、ストロボボタン７０をワンプッシュする毎にオートモードから順次強制発光モード、発光停止モード、オートモードに切り換えられる。尚、上記露出補正ボタン６８及びストロボボタン７０は、それぞれ再生モード時に１コマ順送り及び１コマ逆送りを指令するボタンとして兼用されている。また、モードダイヤル６６によってＡＵＴＯ撮影モードが選択されているときに表示スイッチ７２を押すと、液晶モニタ６０にスルー画が表示され、液晶モニタ６０を見ながら撮影を行うことができる。
【００２１】
次に、上記構成の防水パック１０の作用について説明する。
まず、この防水パック１０にデジタルカメラ１８を収納する場合には、図３に示すカメラ取付部材４８にカメラ取付ネジ５０及びピン５２によってデジタルカメラ１８を固定し、続いて図４に示すようにリモートコントロールケーブル８０のプラグ８０Ａをデジタルカメラ１８のデジタル入出力端子に差し込む。尚、リモートコントロールケーブル８０が短い場合には、図４又は図６に示す状態までデジタルカメラ１８を入れ、プラグ８０Ａをデジタル入出力端子に差し込む。
【００２２】
その後、図４又は図６に示すようにデジタルカメラ１８が傾いている状態（即ち、コイルバネ５４の付勢力によってデジタルカメラ１８が所定の位置まで押し上げられている状態）で、カバー１６のフック７５が防水パック本体１２側の係合部に係合するまで（「カチッ」という音がするまで）カバー１６を閉じる。
このカバー１６の閉動作に伴って、デジタルカメラ１８はコイルバネ５４の付勢力に抗してカバー１６により押下され、防水パック本体１２のカメラ収納部４２の所定位置に収納される。尚、デジタルカメラ１８は、コイルバネ５４の付勢力によってカバー１６側に押圧されているため、カメラ収納部４２内でガタつくことがない。
【００２３】
一方、防水パック１２に収納されたデジタルカメラ１８内のバッテリー（図示せず）を充電する場合、デジタルカメラ１８のスマートメディアを交換する場合には、図３に示すようにカバー開つまみ４０を起こし、反時計回り方向に回してカバー１６のロックを解除する。このカバー１６のロックが解除されてカバー１６が開放されると、図４又は図６に示すようにコイルバネ５４の付勢力によってカメラ取付部材４８が回動軸４９（図６参照）を中心にして自動的に回動し、これによりデジタルカメラ１８は図４又は図６に示す位置まで押し上げられる。図４に示すように、この状態のデジタルカメラ１８は、デジタルカメラ１８の一方の側面（デジタル入出力端子、ビデオ出力端子８２、ＤＣ入力端子８４、及びスマートメディアカバー８６が設けられている側面）が、防水パック本体１２から露出するように傾いて停止している。
【００２４】
従って、デジタルカメラ１８を防水パック１０から完全に取り出さずに図４に示す状態のままで、デジタルカメラ１８のＤＣ入力端子８４にＡＣパワーアダプタのプラグ（図示せず）を差し込むことにより、デジタルカメラ１８内のバッテリーを充電することができ、また、スマートメディアカバー８６を開けてスマートメディアの交換もできる。更に、ビデオ出力端子８２にビデオケーブルのプラグを接続することによりモニタテレビ等にビデオ出力したり、デジタル入出力端子にリモートコントロールケーブル８０のプラグ８０Ａの代わりに、パソコンとの接続を行うための専用接続ケーブルのプラグを接続することによりパソコンにデジタル出力することができる。
【００２５】
また、デジタルカメラ１８を防水パック１０から完全に取り出す場合には、図４又は図６に示す状態でリモートコントロールケーブル８０のプラグ８０Ａを外し、少なくともカメラ取付ネジ５０の操作が可能な位置までカメラ取付部材４８（デジタルカメラ１８）を手動で回動させ、カメラ取付ネジ５０を回転させてカメラ取付部材４８からデジタルカメラ１８を外す。
【００２６】
ところで、上記各種ケーブルのプラグの着脱やスマートメディアの交換、あるいはデジタルカメラ１８の着脱に際し、カバー１６は図７で説明したようにフリクション部材７６による摩擦力によって任意の角度で静止可能になっているため、カバー１６が邪魔にならず安定した状態で行うことができる。
図８、図９、図１０及び図１３はそれぞれ防水パックの要部断面図である。
【００２７】
図８に示す防水パック９０は、図６に示した防水パック１０と比較して、カメラ取付部材４８の回動を一旦停止させるストッパ９１を有する点で相違する。尚、図８上で、図６に示した防水パック１０と共通する部分には同一の符号を付し、その詳細な説明は省略する。
図８に示すストッパ９１は、捩じりバネ９２によって図８上で時計回り方向に付勢されており、カメラ取付部材４８の係合部４８Ａと係合可能になっている。従って、カバー１６が開放されると、カメラ取付部材４８は、コイルバネ５４の付勢力によって回動軸４９を中心にして時計回り方向に回動するが、カメラ取付部材４８の係合部４８Ａがストッパ９１に係合し、その回動が規制される。即ち、このストッパ９１によりカメラ取付部材４８の回動位置を所定の位置（図８に示す位置）に固定でき、前述した各種ケーブルのプラグの着脱やスマートメディアの交換等を安定した状態で行うことができる。
【００２８】
尚、カメラ取付部材４８を更に時計回り方向に回動させる場合には、ストッパ９１を捩じりバネ９２の付勢力に抗して反時計回り方向に回動させる。これにより、カメラ取付部材４８は図８上で更に時計回り方向に回動できるようになる。図９に示す防水パック９３は、図８に示した防水パック９０と比較して、コイルバネ５４の代わりに回動軸４９の回りに捩じりバネ９４が配設されている点で相違する。
【００２９】
上記構成によりカバー１６が開放されると、カメラ取付部材４８は、捩じりバネ９４の付勢力によって回動軸４９を中心にして時計回り方向に回動するが、ストッパ９１によってその回動位置が規制される。続いて、このストッパ９１を反時計回り方向に回動させると、カメラ取付部材４８は捩じりバネ９４の付勢力によって図９上で更に時計回り方向に回動する。
【００３０】
図１０に示す防水パック９５は、図６に示した防水パック１０と比較して、コイルバネ５４の代わりにカバー１６とカメラ取付部材４８との間にリンク９６、９７が設けられた点で相違する。
これによりカバー１６を開放すると、カバー１６からリンク９６、９７を介してカメラ取付部材４８に回動力が伝達され、カバー１６の開放に伴ってカメラ取付部材４８も回動する。また、カバー１６を任意の角度に回動させたのち、カバー１６から手を離してもヒンジ１４に設けられたフリクション部材７６（図７参照）によりその回動位置が保持されるようになっている。
【００３１】
尚、ヒンジ１４に設けたフリクション部材７６の代わりに、図１１に示すようにリンク９６とリンク９７の間にフリクション部材７６’を設けるとともに、カメラ取付部材４８の回動軸４９にもフリクション部材を設けるようにしてもよい。更に、図１１に示したフリクション部材７６’の代わりに１又は複数の回動位置でクリック係合するクリック機構を設けてもよい。このクリック機構としては、図１２に示すようにリンク９６’に弾性をもった凸部９６Ａを形成するとともに、リンク９７’に前記凸部９６Ａが落ち込む１又は複数の凹部９７Ａを形成し、リンク９６’とリンク９７’とが所定の角度になると、凸部９６Ａが凹部９７Ａに落ち込んで固定するものが考えられるが、クリック機構はこれに限定されない。また、この種のクリック機構は、ヒンジ１４に設けたフリクション部材７６の代わりに設けてもよいし、カメラ取付部材４８の回動軸４９に設けてもよい。
【００３２】
図１３に示す防水パック９８は、図１０に示した防水パック９５と比較して、リンク９６、９７の代わりにリンク９９と、リンク９９の一端９９Ａを案内するガイド溝４８Ｂとが設けられた点で相違する。
ガイド溝４８Ｂはカメラ取付部材４８に形成されており、その一端にはリンク９９の一端９９Ａが落ち込む凹部が形成されている。これによりカバー１６を開放すると、リンク９９の一端がガイド溝４８Ｂに沿って前記凹部に向かって移動するとともに、カメラ取付部材４８を回動させる。そして、リンク９９の一端が、図１３に示す位置に達し、この位置でカバー１６から手を離すと、リンク９９の一端が凹部に落ち込み、その回動位置が保持される。その後、図１３に示す位置から更にカバー１６を開放させると、リンク９９の一端は、ガイド溝４８Ｂに沿って戻るとともに、カメラ取付部材４８を更に回動させる。尚、カメラ取付部材４８の回転軸４９にはフリクション部材が設けられており、カバー１６の開閉によって回動させられた位置を保持できるようになっている。
【００３３】
この実施の形態では、カメラ取付部材は回動軸によって防水パック本体に回動自在に配設されているが、これに限らず、カメラ取付部材をスライド自在に配設し、デジタルカメラをカメラ収納部に対して平行移動できるようにしてもよい。また、カメラ収納部に収納されるカメラは、デジタルカメラに限らず、銀塩カメラでもよく、この場合には、銀塩カメラを防水パックから完全に取り出さずにフイルム交換ができるように構成する。
【００３４】
次に、上記防水パック１０を使用してワイド撮影を行う場合について説明する。
この場合には、デジタルカメラ１８を収納する前に、図５に示すように防水パック本体１２の内側の取付部５８にワイドコンバージョンレンズ５６を取り付ける。即ち、取付部５８の雌ネジ５８Ａにワイドコンバージョンレンズ５６の雄ネジ５６Ａを螺合させてワイドコンバージョンレンズ５６を取り付ける。
【００３５】
その後、上述したようにデジタルカメラ１８を防水パック１０に収納する。尚、デジタルカメラ１８が防水パック本体１２のカメラ収納部４２に収納され、カバー１６が完全に閉じられた状態では、デジタルカメラ１８はカメラ収納部４２の所定位置に位置決めされる。これにより、防水パック本体１２の内側に取り付けられたワイドコンバージョンレンズ５６の光軸と、デジタルカメラ１８の撮影レンズの光軸とが一致し、ワイド撮影が可能になる。
【００３６】
尚、この実施の形態では、防水パック本体１２の内側の取付部５８には、ワイドコンバージョンレンズ５６を取り付ける場合について説明したが、これに限らず、テレコンバージョンレンズや、ＮＤフィルタ、ＵＶフィルタ、特殊効果フィルタ等を取り付けてもよく、要はカメラの撮影レンズの前面に配置されるアクセサリー用の光学部材であれば如何なるものでもよい。また、取付部の取付方式もネジ式に限らず、他の取付方式を適用してもよし、予め着脱不能に固定してもよい。
【００３７】
次に、防水パック本体１２に内蔵されたストロボ装置２８について説明する。図１４は上記ストロボ装置２８の概要を示すブロック図である。同図に示すように、このスロトボ装置２８は、主としてストロボ制御回路１００、メインコンデンサ１０２、放電管１０４、同調センサ１０６、及び調光センサ１０８から構成されている。
【００３８】
このストロボ装置２８は、前述したようにストロボボタン７０の操作に応じて低輝度又は逆光時に自動発光するオートモード、強制発光モード、発光停止モードの切り換えが可能になっており、デジタルカメラ１８に内蔵のストロボ装置（図示せず）に比べて大発光量のストロボ光を発光することができるものである。また、ストロボ装置２８の電源は、防水パック１０に収納されたバッテリー４４（図４参照）から供給されるようになっている。このバッテリー４４を収納するバッテリー収納部４６は、図４に示すようにカバー１６のヒンジ１４が設けられている側とカメラ収納部を挟んで反対側に形成されており、これによりカバー１６に邪魔されずにバッテリー４４の交換ができるようになっている。
【００３９】
同調センサ１０６は受光素子からなり、デジタルカメラ１８が防水パック本体１２の所定位置に収納されたときに、デジタルカメラ内蔵のストロボ装置の発光窓の前方に位置するように配置されている。従って、デジタルカメラ内蔵のストロボ装置が発光すると、その発光を感知してデジタルカメラ内蔵のストロボ装置の発光に同期した受光信号をストロボ制御回路１００に出力する。
【００４０】
また、このデジタルカメラ１８は、防水パック１０に収納されていることを検知することができ、防水パック１０に収納されていることを検知すると、防水パックモードとなる。そして、防水パックモード時に内蔵のストロボ装置を発光させる場合には、デジタルカメラ１８は、内蔵のストロボ装置を前記同調センサ１０６が感知できる程度に微小発光させる。これにより、無駄なエネルギが消費されないようにし、また防水パック１０内での閃光の悪影響が生じないようにしている。尚、デジタルカメラ１８が防水パック１０に収納されているか否かの検知は、図３に示したピン５２がデジタルカメラ１８の底部に挿入されているか否かを検知する検知手段（例えば、ピン５２の有無によってＯＮ／ＯＦＦするスイッチ）によって行っている。また、デジタルカメラ１８は、防水パックモード時にリモートコントロールケーブル８０を介してコントロール信号を受入できるようになっている。
【００４１】
次に、上記ストロボ装置２８の作用について説明する。
いま、低輝度又は逆光時に自動発光するオートモードが選択され、かつデジタルカメラ１８によって測光した被写体輝度がストロボ発光を必要とする所定の輝度以下の場合には、デジタルカメラ１８は、シャッタボタン３４が押下されると、内蔵のストロボ装置を微小発光させる。
【００４２】
デジタルカメラ内蔵のストロボ装置が微小発光すると、防水パック１０に内蔵されたストロボ装置２８の同調センサ１０６が前記微小発光を感知し、デジタルカメラ内蔵のストロボ装置の発光に同期した受光信号をストロボ制御回路１００に出力する。ストロボ制御回路１００は、同調センサ１０６から受光信号を入力すると、放電管１０４をストロボ発光させるためのトリガー信号を出力し、メインコンデンサ１０２に蓄えた電気エネルギを放電管１０４に供給する。また、ストロボ制御回路１０４は、被写体からの反射光を受光する調光センサ１０８での受光量が所定量に達すると、放電管１０４への電気エネルギを遮断し、ストロボ発光を停止させる。
【００４３】
【発明の効果】
以上説明したように本発明に係るカメラの防水パックによれば、ワイドコンバージョンレンズ等のアクセサリー用の光学部材を、防水パックの内側に取り付けるようにしたため、前記光学部材を防水パック側の保護ガラス等によって保護することができる。これにより、前記光学部材に不測の外力等が加わらず、光学部材が傷ついたり破損したりせず、また水等からも保護され、ヘビーデューティ性を保持することができる。
【００４４】
また、アクセサリー用の光学部材を防水パックの内側に取り付けるようにしたため、カメラの撮影レンズに近づけることができ、撮影レンズに近い分だけコンパクトにすることができる。尚、アクセサリー用の光学部材がコンパクトになるため、光学部材を防水パックから外して携帯する場合の携帯性が向上する。
更に、アクセサリー用の光学部材を防水パックの内側に取り付けるようにしたため、光学部材を落としてしまうことがない。
【００４５】
尚、防水パックの内側にアクセサリー用の光学部材を設ける場合と、カメラ側に光学部材を取り付ける場合とを比較すると、後者の場合は、カメラ側に光学部材の取付部を設ける必要があり、カメラの小型軽量化やデザイン等の妨げとなるという不具合がある。
【図面の簡単な説明】
【図１】図１は本発明に係るカメラの防水パックを前方から見た斜視図である。
【図２】図２は図１に示した防水パックを後方から見た斜視図である。
【図３】図３は図２に示した防水パックのカバーを開けた状態を示す斜視図である。
【図４】図４は本発明に係る防水パック本体にデジタルカメラが収納され、かつカバーが開放されている状態を示す斜視図である。
【図５】図５はワイドコンバージョンレンズ等の取付部の構成を説明するために用いた防水パック本体の要部断面図である。
【図６】図６は防水パックの要部断面図である。
【図７】図７は防水パックのヒンジを含む要部断面図である。
【図８】図８は防水パックの要部断面図である。
【図９】図９は防水パックの要部断面図である。
【図１０】図１０は防水パックの要部断面図である。
【図１１】図１１は図１０に示したリンク間のフリクション手段を説明するために用いた図である。
【図１２】図１２は図１０に示したリンク等に設けることができるクリック機構の一例を示す図である。
【図１３】図１３は防水パックの要部断面図である。
【図１４】図１４は防水パックに内蔵されたストロボ装置の概要を示すブロック図である。
【符号の説明】
１０…防水パック
１２…防水パック本体
１４…ヒンジ
１６…カバー
１８…デジタルカメラ
２０…保護ガラス
２２…外装ケース
３４…シャッタボタン
４２…カメラ収納部
４８…カメラ取付部材
４８Ａ…係合部
５０…カメラ取付ネジ
５２…ピン
５４…コイルバネ
５６…ワイドコンバージョンレンズ
５６Ａ…雄ネジ
５８…取付部
５８Ａ…雌ネジ
７４…パッキング
７５…フック
【図１】
0003799794.tif 000002
【図２】
0003799794.tif 000003
【図３】
0003799794.tif 000004
【図４】
0003799794.tif 000005
【図５】
0003799794.tif 000006
【図６】
0003799794.tif 000007
【図７】
0003799794.tif 000008
【図８】
0003799794.tif 000009
【図９】
0003799794.tif 000010
【図１０】
0003799794.tif 000011
【図１１】
0003799794.tif 000012
【図１２】
0003799794.tif 000013
【図１３】
0003799794.tif 000014
【図１４】
0003799794.tif 000015